(57)【要約】      （修正有）【課題】レセプタクルコネクタの開口部に移動可能な遮蔽板であるシャッターと、このシャッターを開口部の方向に付勢する弾性部材とを配置して、プラグコネクタを非接続の状態では開口部をシャッターにて閉鎖する一方、プラグコネクタが開口部に押し当てられるとシャッターが押し下げられて、レセプタクルコネクタと接続可能になるコネクタの小型化を図る。【解決手段】レセプタクル端子を囲むハウジング内を一方向に移動可能であって、かつ、プラグとレセプタクルとを互いに接続する際に、プラグ側の位置決め用凸部と対応する位置に窪みを有するシャッターをレセプタクルに設ける。【選択図】図５
2014120341.tif 000002
【特許請求の範囲】
【請求項１】
プラグ及びレセプタクルからなり、
前記プラグは、プラグ端子、及び、前記レセプタクルとの接続位置を案内する位置決め用凸部を備え、
前記レセプタクルは、前記プラグ端子に対応するレセプタクル端子、前記レセプタクル端子を囲むハウジング、及び、前記ハウジング内を前記プラグが前記レセプタクルに接続する方向に移動可能であって、かつ、前記プラグと前記レセプタクルとを互いに接続する際に前記位置決め用凸部と対応する位置に窪みを有するシャッターを備える
ことを特徴とするコネクタ。
【請求項２】
前記シャッターの向かい合う２つの端部のそれぞれに前記窪みを有することを特徴とする請求項１に記載のコネクタ。
【請求項３】
前記シャッターは薄板からなり、
前記薄板の一方の面の一部にシャッター凹部を有し、前記薄板の他方の面の前記一部に対応する箇所にシャッター凸部を有し、前記シャッター凹部を前記窪みとする
ことを特徴とする請求項１及び２のいずれかに記載のコネクタ。
【請求項４】
前記レセプタクルは前記ハウジングの底を覆う底部を更に備え、
前記底部は前記シャッター凸部に対応する位置に穴を有し、
前記プラグ及びレセプタクルを互いに接続したとき、前記シャッター凸部は前記穴から突出する
ことを特徴とする請求項１乃至３のいずれかに記載のコネクタ。
【請求項５】
一の前記位置決め用凸部の先端は複数に分岐し、複数の先端部を有し、
前記シャッター凸部は前記位置決め用凸部の前記複数の先端部に対応する複数の凸部を有し、
前記シャッター凸部の複数の凸部は、それぞれ、前記ハウジングの底部の穴から突出する
ことを特徴とする請求項４に記載のコネクタ。
【請求項６】
プラグ及びレセプタクルからなり、
前記プラグは、プラグ端子、及び、前記レセプタクルとの接続位置を案内するための位置決め用凸部であって、一の前記位置決め用凸部の先端が分岐した複数の先端部を有する前記位置決め用凸部を備え、
前記レセプタクルは、前記プラグと接続したときに前記プラグ端子と互いに接触して、電気的な接続を確立するレセプタクル端子、及び、前記位置決め用凸部がその一端から他端まで貫通可能な開口部を有するハウジングを備え、
前記プラグ及びレセプタクルを互いに接続したとき、前記複数の先端部が前記ハウジングの一端から突出する
ことを特徴とするコネクタ。
【発明の詳細な説明】
【技術分野】
【０００１】
本発明は配線を相互に電気的に接続するためのコネクタの構造に関し、特に、コネクタの小型化に関する。
【背景技術】
【０００２】
プラグコネクタとレセプタクルコネクタとを互いに接続して、両コネクタの間を電気的に接続するコネクタにおいて、両コネクタの接続を位置決めするための凸部及び凹部を備えるものがある。例えば、プラグコネクタに位置決め用凸部を設け、レセプタクルコネクタに位置決め用凹部を設けて、両コネクタを接続する際にはこれらの凹凸が互いに嵌合することにより、両コネクタが正しい位置で接続するようにガイドするものである。
【０００３】
この種のコネクタは、例えば、ノートパソコンとその拡張ユニットとの間を接続する際に用いられる。ここでいう拡張ユニットとは、ポートリプリケータ或いはドッキングステーション等と呼ばれるものであり、シリアルポート、パラレルポート、ＰＳ／２ポート、ＵＳＢポート、外部ディスプレイ出力端子等の各種の接続端子、ＰＣＩバス等の拡張スロット、ＣＤ−ＲＯＭ等のドライブ装置を備える装置であり、この種のコネクタを介して接続したノートパソコンに対し、上述の接続端子、拡張スロット、ドライブ装置等の機能を提供する装置である。
【０００４】
この種のコネクタには、異物の侵入を防いで防塵性を高めるためのシャッター機構を開口部に備えるものがある。例えば、レセプタクルコネクタの開口部に移動可能な遮蔽板であるシャッターと、このシャッターを開口部の方向に付勢する弾性部材とを配置して、プラグコネクタを非接続の状態では開口部をシャッターにて閉鎖する一方、プラグコネクタが開口部に押し当てられるとシャッターが押し下げられて、レセプタクルコネクタと接続可能になるものがある。
【０００５】
更に、この種のコネクタには、上述の位置決め用の凸部及び凹部とシャッター機構の両方を備えるものがある。図２５、図２６は特許文献１に記載されているコネクタである。リセプタクルコネクタ２０のリセプタクルハウジング２１は、差込口（開口部）３５を備え、更に、その全面を覆う平板のシャッター部材４０を備える。プラグコネクタ１０とリセプタクルコネクタ２０とを接続する際、プラグコネクタ１０のガイド突起１２ａ、１２ｂを、リセプタクルコネクタ２０のガイド収容空間２４ａ、２４ｂにそれぞれ収容する。
【０００６】
これらガイド収容空間２４ａ、２４ｂは、リセプタクルハウジング２１において、シャッター部材４０を挟むようにその両隣に配置される。このため、リセプタクルハウジング２１の長手方向の長さは、シャッター部材４０の幅、ガイド収容空間２４ａ及び２４ｂの直径を合計したものよりも長くなる。その結果、コネクタ全体の寸法が大きくなりやすいという問題がある。
【０００７】
図２７、図２８は特許文献２に記載されているコネクタである。電気コネクタ組立体は互いに嵌合する電気コネクタ２及び相手コネクタ３からなり、電気コネクタ２はその長手方向両端に位置決め用案内部１３を備え、相手コネクタ３はその長手方向両端に位置決め用凹部５３を備える。また、相手コネクタ３は２つの位置決め用凹部５３の間にシャッタ部材７０を備える。
【０００８】
位置決め用案内部１３を位置決め用凹部５３に挿入する都合上、シャッタ部材７０は位置決め用凹部５３の上を覆っておらず、その両端を切り欠いた形状をしている。このため、シャッタ部材７０の端部に隙間が生じ、そこからゴミが侵入する恐れがある。
【０００９】
また、レセプタクルコネクタの長手方向に沿って、位置決め用凹部５３、シャッタ部材７０、位置決め用凹部５３を一列に配置する点で特許文献１に記載のコネクタと同じであり、同様にコネクタ全体の寸法が大きくなりやすい。
【００１０】
更に、接続の位置決めをするための凸部及び凹部を備えるプラグコネクタ及びレセプタクルコネクタの小型化に関しては、上述のようにレセプタクルコネクタの長手方向の長さを短くすることだけではなく、接続したコネクタの高さを低くすることも求められている。
【００１１】
図２９は特許文献３に記載されているコネクタである。このように、プラグコネクタに位置決め用凸部を設け、基板上に配置したレセプタクルコネクタに位置決め用凹部を設けてなるコネクタにおいて、接続した状態でのコネクタの低背化を図るため、基板上の位置決め用凹部に対応する位置に凹部乃至貫通孔（以下総称して基板凹部と記す）を設けるものがある。
【００１２】
このような構成とすることにより、位置決め用凸部の先端が基板に食い込む形となるので、プラグコネクタ及びレセプタクルコネクタを接続した状態でのコネクタ全体の低背化に資することができる。しかし、この構成では、基板凹部を設ける都合上、基板強度の低下を招く側面がある。
【先行技術文献】
【特許文献】
【００１３】
【特許文献１】特開２００６−４８４２
【特許文献２】特開２００６−２４４９０２
【特許文献３】特開平１１−２８８７６０、第００２２段落
【発明の概要】
【発明が解決しようとする課題】
【００１４】
本発明はこのような状況に鑑みてなされたものであり、本発明が解決しようとする課題は、コネクタの小型化を図ることである。
【課題を解決するための手段】
【００１５】
上述の課題を解決するため、本発明は、その一態様として、プラグ及びレセプタクルからなり、プラグは、プラグ端子、及び、レセプタクルとの接続位置を案内する位置決め用凸部を備え、レセプタクルは、プラグ端子に対応するレセプタクル端子、レセプタクル端子を囲むハウジング、及び、ハウジング内を一方向に移動可能であって、かつ、プラグとレセプタクルとを互いに接続する際に位置決め用凸部と対応する位置に窪みを有するシャッターを備えることを特徴とするコネクタを提供する。
【００１６】
例えば、シャッターの向かい合う２つの端部のそれぞれに窪みを有することとしてもよい。
【００１７】
シャッターは薄板からなることとしてもよい。この場合、薄板の一方の面の一部にシャッター凹部を有し、薄板の他方の面の一部に対応する箇所にシャッター凸部を有し、シャッター凹部を窪みとすることが考えられる。
【００１８】
レセプタクルはハウジングの底を覆う底部を更に備えることとしてもよい。このとき、底部はシャッター凸部に対応する位置に穴を有し、プラグ及びレセプタクルを互いに接続したとき、シャッター凸部は穴から突出するようにすることが考えられる。
【００１９】
一の位置決め用凸部の先端が分岐し、一の位置決め用凸部は複数の先端部を有することが好ましい。このとき、シャッター凸部は位置決め用凸部の複数の先端部に対応する複数の凸部を有し、シャッター凸部の複数の凸部は、それぞれ、ハウジングの底部の穴から突出することが好ましい。
【００２０】
また、本発明は、他の一態様として、プラグ及びレセプタクルからなり、プラグは、プラグ端子、及び、レセプタクルとの接続位置を案内するための位置決め用凸部であって、複数の先端部を有する位置決め用凸部を備え、レセプタクルは、プラグと接続したときにプラグ端子と互いに接触して、電気的な接続を確立するレセプタクル端子、及び、位置決め用凸部がその一端から他端まで貫通可能な開口部を有するハウジングを備え、プラグ及びレセプタクルを互いに接続したとき、複数の先端部がハウジングの一端から突出することを特徴とするコネクタを提供する。
【発明の効果】
【００２１】
本発明によれば、コネクタのフットプリントを小さく、或いは、コネクタの高さを低くすることが可能であり、コネクタの小型化を図ることができる。
【図面の簡単な説明】
【００２２】
【図１】本発明の一実施の形態であるコネクタ１を構成するプラグ２の斜視図である。
【図２】プラグ２の上面図、正面図、右側面図である。
【図３】レセプタクル３をプラグ２側から見たときの斜視図である。
【図４】レセプタクル３をプラグ２側から見たときの分解斜視図である。
【図５】シャッター３２をプラグ２側から見たときの斜視図である。
【図６】シャッター３２の上面図、正面図、右側面図、Ａ−Ａ断面図、Ｂ−Ｂ断面図である。
【図７】レセプタクル３を基板側から見たときの斜視図である。
【図８】レセプタクル３の上面図、正面図、下面図、右側面図である。
【図９】プラグ２とレセプタクル３とを接続したコネクタ１を横から見た図と、そのＡ−Ａ断面図である。
【図１０】プラグ２とレセプタクル３とを接続したコネクタ１の斜視図である。
【図１１】基板６２の穴６３、６４、６６、６７、繋ぎ６５、６８の実際の寸法の一例を示す図である。
【図１２】レセプタクル３の基板実装面からの高さの実例について説明するための図である。
【図１３】レセプタクル３の基板実装面からの高さ、シャッター凸部４３ａ、４３ｃ、組立公差及び部品公差について説明するための図である。
【図１４】本発明の第２の実施の形態であるコネクタ７０を構成するプラグ８０の斜視図である。
【図１５】プラグ８０の上面図、正面図、右側面図である。
【図１６】レセプタクル９０をプラグ８０側から見たときの斜視図である。
【図１７】レセプタクル９０をプラグ８０側から見たときの分解斜視図である。
【図１８】シャッター９２をプラグ８０側から見たときの斜視図である。
【図１９】シャッター９２の上面図、正面図、右側面図、Ａ−Ａ断面図、Ｂ−Ｂ断面図である。
【図２０】レセプタクル９０を基板側から見たときの斜視図である。
【図２１】レセプタクル９０の上面図、正面図、下面図、右側面図である。
【図２２】プラグ８０とレセプタクル９０とを接続したコネクタ７０を横から見た図と、そのＡ−Ａ断面図である。
【図２３】プラグ８０とレセプタクル９０とを接続したコネクタ７０の斜視図である。
【図２４】基板１２２の穴１２３の実際の寸法の一例を示す図である。
【図２５】特許文献1に記載のコネクタについて説明するための図である。
【図２６】特許文献１に記載のコネクタについて説明するための図である。
【図２７】特許文献２に記載のコネクタについて説明するための図である。
【図２８】特許文献２に記載のコネクタについて説明するための図である。
【図２９】特許文献３に記載のコネクタについて説明するための図である。
【発明を実施するための形態】
【００２３】
本発明の第１の実施の形態であるコネクタ１について説明する。コネクタ１はプラグ２とレセプタクル３からなる。
【００２４】
図１及び図２に示すように、プラグ２は略直方体のハウジング２１の上面に開口部２２を有する。開口部２２の向かい合う２面に沿ってプラグ端子群２３ａ、２３ｂが配置されている。プラグ端子群２３ａはハウジング２１の下端から伸びる配線群２４ａと接続され、プラグ端子群２３ｂは図１中ではハウジング２１の向こうに隠れた配線群２４ｂに接続されている。開口部２２の図中左側には、頂部２５ａ、谷部２５ｂ、頂部２５ｃからなる位置決め用凸部２５が設けられている。同様に、開口部２２の図中右側には、頂部２６ａ、谷部２６ｂ、頂部２６ｃからなる位置決め用凸部２６が設けられている。
【００２５】
次に図３及び図４を参照してレセプタクル３について説明する。レセプタクル３は大別するとシェル３１、シャッター３２、ハウジング３３からなる。シェル３１はプラグ２とレセプタクル３とを接続する際にプラグ２と向かい合う側に位置し、ハウジング３３は、レセプタクル３を基板上に配置したとき基板に向かい合う側に位置する。ハウジング３３の図中下方から配線群３４が伸びている。ハウジング３３は、バスタブ状に壁で四方を囲んだ中央に、直方体状の凸部３５を配置した構造を有する。直方体凸部３５の長側面に沿ってレセプタクル端子群３６が配置される。プラグ２とレセプタクル３とを互いに接続したとき、プラグ２の開口部２２にレセプタクル３の直方体凸部３５が嵌り合い、プラグ端子群２３ａ、２３ｂとレセプタクル端子群３６が互いに接触して、プラグ２とレセプタクル３の間に電気的な経路が確立される。
【００２６】
ハウジング３３の内側にはばね３７ａ−３７ｄが配置される。シェル３１、シャッター３２、ハウジング３３を組み立てたとき、ばね３７ａ−３７ｄは、図３の下方からシャッター３２を支持し、シェル３１にシャッター３２を押し付けるように作用する。これにより、プラグ２が接続されていないとき、レセプタクル３では、シャッター３２がレセプタクル端子群３６を外部から覆い隠すので、レセプタクル端子群３６を埃等から保護することができる。
【００２７】
シャッター３２について更に説明する。図５及び図６に示すようにシャッター３２は薄板を折り曲げた形状を有する。シャッター３２の中央には直方体凸部３５が貫通するための開口部４１があり、その一端にはシャッター凹部４２ａ、峰部４２ｂ、シャッター凹部４２ｃを有する。開口部４１の他端にはシャッター凹部４３ａ、峰部４３ｂ、シャッター凹部４３ｃを有する。尚、シャッター凹部４２ａ、峰部４２ｂ及びシャッター凹部４２ｃを一括してシャッター凹部４２と呼び、シャッター凹部４３ａ、峰部４３ｂ、シャッター凹部４３ｃを一括してシャッター凹部４３と呼ぶものとする。
【００２８】
プラグ２の位置決め用凸部２５ａ、谷部２５ｂ、位置決め用凸部２５ｃは、プラグ２とレセプタクル３とを互いに接続する際に、それぞれ順に、シャッター凹部４２ａ、峰部４２ｂ、シャッター凹部４２ｃに嵌り合うように配置されている。同様に、位置決め用凸部２６ａ、谷部２６ｂ、位置決め用凸部２６ｃは、シャッター凹部４３ａ、峰部４３ｂ、シャッター凹部４３ｃにそれぞれ嵌り合うように配置されている。
【００２９】
プラグ２とレセプタクル３とを接続するために両者を互いに接近させていくと、位置決め用凸部２５ａはシャッター凹部４２ａに嵌り、谷部２５ｂに峰部４２ｂが嵌り、位置決め用凸部２５ｃはシャッター凹部４２ｃに嵌る。これらの嵌り合いを介して、プラグ２がシャッター３２を図４の下方に押し込む力が伝達される。位置決め用凸部２６ａ、２６ｃ、谷部２６ｂとシャッター凹部４３ａ、４３ｃ、峰部４３ｂの間の嵌り合いについても同様である。
【００３０】
レセプタクル３について図７を参照して更に説明する。ここでは、ハウジング３３が基板と接触する面に開口部５１、５２が設けられている点に注意されたい。
【００３１】
開口部５１、５２の説明に先立ってシャッター凹部４２、４３について言及する。上述したように、シャッター３２は薄板を折り曲げた形状を有するので、基板側からシャッター３２を見ると、シャッター凹部４２ａ、峰部４２ｂ、シャッター凹部４２ｃ、シャッター凹部４３ａ、峰部４３ｂ、シャッター凹部４３ｃに対応する箇所は、それぞれ凹凸が逆転し、シャッター凹部４２ａ、４２ｃ、４３ａ、４３ｃは凸部となり、峰部４２ｂ、４３ｂは凹部となる。以下、シャッター３２を基板側から見たときのシャッター凹部４２ａ、４２ｃ、４３ａ、４３ｃをそれぞれシャッター凸部４２ａ、４２ｃ、４３ａ、４３ｃと呼ぶものとする。
【００３２】
開口部５１、５２の説明に戻ると、開口部５１、５２は直方体凸部３５の両端近傍にあたる位置にそれぞれ設けられる。更に詳しくは、位置決め用凸部２５、２６とシャッター凹部４２、４３とが嵌り合った状態でシャッター３２を押し下げていき、プラグ２とレセプタクル３との接続が完了した時点において、シャッター凸部４２ａ、４２ｃ、４３ａ、４３ｃが、開口部５１、５２を介してハウジング３３から突出するように、開口部５１、５２は配置される。この時点で、位置決め用凸部２５、２６は、ハウジング３３から突出していても良いし、していなくても構わない。開口部５１、５２と、シャッター凸部４２ａ、４２ｃ、４３ａ、４３ｃとの関係は図８の上面図（基板側から見た図）を見ると理解しやすいだろう。
【００３３】
次に、プラグ２とレセプタクル３とを接続した状態について説明する。プラグ２は基板６１に設置され、レセプタクル３は基板６２に設置されているとき、プラグ２とレセプタクル３とを接続したものが図９の上の図であり、この図のＡ−Ａ断面が同図の下の図である。基板６２には２つの穴６３、６４が設けられている。これらの穴は互いに独立した穴であり、両者の間には繋ぎ６５が存在する点に注意されたい。位置決め用凸部２５の先端が分岐して複数の先端２５ａ、２５ｃを有し、これらの先端に対応して、シャッター凹部／凸部４３ａ、４３ｃが設けられ、これら凸部の先端が穴６３、６４に収まっている。同様に、穴６６、６７の間に繋ぎ６８が設けられ、プラグ２とレセプタクル３とを接続すると、穴６６、６７にはそれぞれシャッター凸部４２ａ、４２ｃの先端が収まる。
【００３４】
シャッター凸部４３ａ、４３ｃの先端が基板６２に食い込むような構造を有することにより、レセプタクル３の背の高さを低く抑えることができる。このことはレセプタクル３を搭載する機器が、例えばノートパソコンのように薄型化を求められる機器である場合に特に重要な利点となる。尚、先端２５ａ、シャッター凸部４３ａが穴６３に収まることによる効果を視覚的に表すため、図９の下の図は実際とは異なる寸法比で図示している。先端２５ｃ、シャッター凸部４３ｃ及び穴６４についても同様である。
【００３５】
また、一般に基板に開口部を設けることは基板の強度の低下に繋がるが、図９の構造では、峰部４３ｂは基板６２に食い込まず、基板６２に繋ぎ６５が残る形となっている。この構造により、プラグの位置決め用凸部の先端を分岐せずに一体として基板に食い込ませる形をとる場合と比較すると、レセプタクル側の基板強度の低下を抑えることができる。
【００３６】
図１０の斜視図を参照すると、シャッター凸部４２ａ、４２ｃ、４３ａ、４３ｃに対応して基板６２にどのような穴を設ける必要があるかが分かりやすい。既に説明したように、シャッター凸部４３ａ、４３ｃに対応する穴６３、６４を設けている。また、シャッター凸部４２ａ、４２ｃに対応する穴６６、６７を設けている。穴６３、６４の間に繋ぎ６５があるのと同様に、穴６６、６７の間にも繋ぎ６８がある。理解を容易にするために図１１に基板６２の穴６３、６４、６６、６７、繋ぎ６５、６８の実際の寸法の一例を示す。
【００３７】
図８の右側に図示したレセプタクル３の側面図に実際の製品の高さを図示したものが図１２である。図示したようにレセプタクル３の背の高さは例えば４．９ｍｍである。同じレセプタクル３に対応するプラグ２を接続したときの様子を図１３に示す。設計値の上では、シャッター凸部４３ａ、４３ｃはシェル３１の底部、即ち基板実装面から０．１ｍｍ突出する。仮に、シャッター凸部４３ａ、４３ｃを基板実装面から突出させないようにする場合を考えると、そのようなレセプタクルは、製品高さが４．９＋０．１＝５ｍｍとなることがわかるだろう。しかも、この高さの増分はあくまで設計値上のものである。実際には、コンタクトをハウジングに圧入する際の組立公差、ハウジング底部公差、シャッター厚み公差、シャッター凹部公差といった公差の累積を考慮する必要がある為、レセプタクル３の製品高さの公差が±０．２ｍｍ程度必要となる。その結果、この寸法例のレセプタクル３では、基板実装面からのシャッターの突出量はノミナルで０．１±０．２ｍｍとなり、最大で０．３ｍｍとなる。
【００３８】
本発明の第２の実施の形態であるコネクタ７０について説明する。コネクタ７０はプラグ８０とレセプタクル９０からなる。
【００３９】
図１４及び図１５に示すように、プラグ８０は略直方体のハウジング８１の上面に開口部８２を有する。開口部８２の向かい合う２面に沿ってプラグ端子群８３ａ、８３ｂが配置されている。プラグ端子群８３ａはハウジング８１の下端から伸びる配線群８４ａと接続され、プラグ端子群８３ｂは図１４中ではハウジング８１の向こうに隠れた配線群８４ｂに接続されている。開口部８２の図中左側には、位置決め用凸部８５が設けられている。同様に、開口部８２の図中右側には、位置決め用凸部８６が設けられている。既に説明した第１の実施の形態における位置決め用凸部２５、２６と比較すると、位置決め用凸部８５、８６は先端が分岐していない点で異なる。位置決め用凸部２５、２６はどちらもふたこぶ状であり、それぞれ２つの凸部２５ａ、２５ｃ、２６ａ、２６ｃを有しているが、本実施の形態の位置決め用凸部８５、８６はひとこぶ状であり、先端は分岐していない。
【００４０】
次に図１６及び図１７を参照してレセプタクル９０について説明する。レセプタクル９０は大別するとシェル９１、シャッター９２、ハウジング９３からなる。シェル９１はプラグ８０とレセプタクル９０とを接続する際にプラグ８０と向かい合う側に位置し、ハウジング９３は、レセプタクル９０を基板上に配置したとき基板に向かい合う側に位置する。ハウジング９３の図中下方から配線群９４が伸びている。ハウジング９３は、バスタブ状に壁で四方を囲んだ中央に、直方体状の凸部９５を配置した構造を有する。直方体凸部９５の長側面に沿ってレセプタクル端子群９６が配置される。プラグ８０とレセプタクル９０とを互いに接続したとき、プラグ８０の開口部８２にレセプタクル９０の直方体凸部９５が嵌り合い、プラグ端子群８３ａ、８３ｂとレセプタクル端子群９６が互いに接触して、プラグ８０とレセプタクル９０の間に電気的な経路が確立される。
【００４１】
ハウジング９３の内側にはばね９７ａ−９７ｄが配置される。シェル９１、シャッター９２、ハウジング９３を組み立てたとき、ばね９７ａ−９７ｄは、図１７の下方からシャッター９２を支持し、シェル９１にシャッター９２を押し付けるように作用する。これにより、プラグ８０が接続されていないとき、レセプタクル９０では、シャッター９２がレセプタクル端子群９６を外部から覆い隠すので、レセプタクル端子群９６を埃等から保護することができる。
【００４２】
シャッター９２について更に説明する。図１８及び図１９に示すようにシャッター９２は薄板を折り曲げた形状を有する。シャッター９２の中央には直方体凸部９５が貫通するための開口部１０１があり、その両端にはそれぞれシャッター凹部１０２、１０３を有する。シャッター凹部１０２、１０３はそれぞれ第１の実施の形態におけるシャッター凹部４２、４３に対応するが、シャッター凹部４２、４３はそれぞれ２つの凹部とひとつの峰部からなるのにたいして、シャッター凹部１０２、１０３はそれぞれひとつの凹部からなり、峰部を有していない。
【００４３】
プラグ８０とレセプタクル９０とを互いに接続する際、プラグ８０の位置決め用凸部８５、８６は、それぞれ、レセプタクル９０のシャッター凹部１０２、１０３に嵌り合うように配置されている。
【００４４】
プラグ８０とレセプタクル９０とを接続するために両者を互いに接近させていくと、位置決め用凸部８５はシャッター凹部１０２に嵌り、位置決め用凸部８６はシャッター凹部１０３に嵌る。これらの嵌り合いを介して、プラグ８０がシャッター９２を図１７の下方に押し込む力が伝達される。
【００４５】
レセプタクル９０について図２０を参照して更に説明する。ここでは、ハウジング９３が基板と接触する面に開口部１１１、１１２が設けられている点に注意されたい。
【００４６】
開口部１１１、１１２の説明に先立ってシャッター凹部１０２、１０３について言及する。上述したように、シャッター９２は薄板を折り曲げた形状を有するので、基板側からシャッター９２を見ると、シャッター凹部１０２、１０３に対応する箇所はどちらも凹凸が逆転して凸部に見える。以下、シャッター９２を基板側から見たときのシャッター凹部１０２、１０３をそれぞれシャッター凸部１０２、１０３と呼ぶものとする。
【００４７】
開口部１１１、１１２の説明に戻ると、開口部１１１、１１２は直方体凸部９５の両端近傍にあたる位置にそれぞれ設けられる。更に詳しくは、位置決め用凸部８５、８６とシャッター凹部１０２、１０３とが嵌り合った状態でシャッター９２を押し下げていき、プラグ８０とレセプタクル９０との接続が完了した時点において、シャッター凸部１０２、１０３が、開口部１１１、１１２を介してハウジング９３から突出するように、開口部１１１、１１２は配置される。この時点で、位置決め用凸部８５、８６は、ハウジング９３から突出していても良いし、していなくても構わない。開口部１１１、１１２と、シャッター凸部１０２、１０３との関係は図２１の上面図（基板側から見た図）を見ると理解しやすいだろう。
【００４８】
次に、プラグ８０とレセプタクル９０とを接続した状態について説明する。プラグ８０は基板１２１に設置され、レセプタクル９０は基板１１２に設置されているとき、プラグ８０とレセプタクル９０とを接続したものが図２２の上の図であり、この図のＡ−Ａ断面が同図の下の図である。基板１２２には２つの穴１２３、１２４が設けられている。位置決め用凸部８５がシャッター凹部１０２に収まり、その裏側に形成される凸部であるシャッター凸部１０２の先端が穴１２４に収まっている。同様に、位置決め用凸部８６がシャッター凹部１０３に収まり、その裏側に形成される凸部であるシャッター凸部１０３の先端が穴１２３に収まっている。
【００４９】
シャッター凸部１０２、１０３の先端が基板１２２に食い込むような構造を有することにより、レセプタクル９０の背の高さを低く抑えることができる。このことはレセプタクル９０を搭載する機器が、例えばノートパソコンのように薄型化を求められる機器である場合に特に重要な利点となる。
【００５０】
図２３の斜視図を参照すると、シャッター凸部１０２、１０３に対応して基板１２２にどのような穴を設ける必要があるかが分かりやすい。既に説明したように、シャッター凸部１０２、１０３に対応する穴１２４、１２３を設けている。図２４に基板１２２の穴１２３の実際の寸法の一例を示す。図中の記載を省略しているが、穴１２４も同じ寸法を有する。
【００５１】
以上、本発明を実施の形態に即して説明したが、本発明はこれに限定されるものではない。
【００５２】
上述のコネクタ１は、レセプタクル３の直方体凸部３５の長側面に沿ってレセプタクル端子群３６を配置する一方、プラグ２に直方体凸部３５を挟むコの字型の断面を有する開口部２２の内側にプラグ端子群２３ａ、２３ｂを配置した構造を有するものであるが、本発明はこのようなプラグ端子群、レセプタクル端子群の配置に限定されるものではない。プラグ側に直方体凸部３５に相当する構造を設け、レセプタクル側に開口部２２に相当する構造を設けることとしてもよい。
【符号の説明】
【００５３】
１、７０  コネクタ
２、８０  プラグ
３、９０  レセプタクル
２１、８１  ハウジング
２２、４１、５１、５２、８２、１０２、１１１、１１２  開口部
２３ａ、２３ｂ、８３ａ、８３ｂ  プラグ端子群
２４ａ、２４ｂ、８４ａ、８４ｂ  配線群
２５、２６、８５、８６  位置決め用凸部
２５ａ、２５ｃ、２６ａ、２６ｃ  頂部
２５ｂ、２６ｂ  谷部
３１、９１  シェル
３２、９２  シャッター
３３、９３  ハウジング
３４、９４  配線群
３５、９５  直方体凸部
３６、９６  レセプタクル端子群
３７ａ−３７ｄ、９７ａ−９７ｄ  ばね
４２、４３、１０２、１０３  シャッター凹部
４２ａ、４２ｃ、４３ａ、４３ｃ  シャッター凹部
４２ｂ、４３ｂ  峰部
６１、６２、１２１、１２２  基板
６３、６４、６６、６７，１２３、１２４  穴
６５、６８  繋ぎ
【図１】
2014120341.tif 000003
【図２】
2014120341.tif 000004
【図３】
2014120341.tif 000005
【図４】
2014120341.tif 000006
【図５】
2014120341.tif 000007
【図６】
2014120341.tif 000008
【図７】
2014120341.tif 000009
【図８】
2014120341.tif 000010
【図９】
2014120341.tif 000011
【図１０】
2014120341.tif 000012
【図１１】
2014120341.tif 000013
【図１２】
2014120341.tif 000014
【図１３】
2014120341.tif 000015
【図１４】
2014120341.tif 000016
【図１５】
2014120341.tif 000017
【図１６】
2014120341.tif 000018
【図１７】
2014120341.tif 000019
【図１８】
2014120341.tif 000020
【図１９】
2014120341.tif 000021
【図２０】
2014120341.tif 000022
【図２１】
2014120341.tif 000023
【図２２】
2014120341.tif 000024
【図２３】
2014120341.tif 000025
【図２４】
2014120341.tif 000026
【図２５】
2014120341.tif 000027
【図２６】
2014120341.tif 000028
【図２７】
2014120341.tif 000029
【図２８】
2014120341.tif 000030
【図２９】
2014120341.tif 000031